(57)【要約】【課題】収納した撮像装置を取り出したときに、その撮像装置と別々に分かれることがない撮像装置用ケースを提供すること。【解決手段】開閉可能な開口部２ａを有し、内部にデジタルスチルカメラ１００が収納されるケース本体２と、デジタルスチルカメラ１００に取り付けられる細帯部６とその細帯部６が連結されたストラップ本体７を有するストラップ３と、ケース本体２の内側に設けられたループ部材３１と、を備え、ループ部材３１に細帯部６を挿通することにより細帯部６とストラップ本体７との連結部にループ部材３１を引っ掛け、ストラップ３を介してケース本体２をデジタルスチルカメラ１００に吊り下げるようにした。【選択図】図１
2009045160.tif 000002
【特許請求の範囲】
【請求項１】
開閉可能な開口部を有し、内部に撮像装置が収納されるケース本体と、
前記撮像装置に取り付けられる細帯部と当該細帯部が連結されたストラップ本体を有するストラップと、
前記ケース本体の内側に設けられたループ部材と、を備え、
前記ループ部材に前記ストラップの前記細帯部を挿通することにより前記細帯部と前記ストラップ本体との連結部に前記ループ部材を引っ掛け、前記ストラップを介して前記ケース本体を前記撮像装置に吊り下げること
を特徴とする撮像装置用ケース。
【請求項２】
前記ケース本体は、所定間隔をあけて対向される第１のケース部材及び第２のケース部材と、前記第１のケース部材と前記第２のケース部材間の前記開口部を開閉するスライドファスナーとを有し、
前記スライドファスナーは、２つのスライダによって開閉可能とされていること
を特徴とする請求項１記載の撮像装置用ケース。
【請求項３】
前記第１のケース部材と前記第２のケース部材は、折り曲げ部を介して連続される略長方形の平面部をそれぞれ有し、
前記第１のケース部材又は前記第２のケース部材の前記折り曲げ部と反対側の角部に前記ループ部材を設けたこと
を特徴とする請求項２記載の撮像装置用ケース。
【請求項４】
前記細帯部及び前記ループ部材の長さを所定の長さに設定し、前記撮像装置によって撮影を行う際に、前記ストラップを介して前記撮像装置に吊り下げられた前記ケース本体が前記撮像装置を把持する手に当接するように構成したこと
を特徴とする請求項１記載の撮像装置用ケース。
【請求項５】
前記ループ部材は、伸縮可能な弾性材によって形成したこと
を特徴とする請求項１記載の撮像装置用ケース。
【請求項６】
前記ループ部材は、第１のループ部材と第２のループ部材からなり、前記第１のループ部材と前記第２のループ部材は、ループ長さが異なること
を特徴とする請求項１記載の撮像装置用ケース。
【発明の詳細な説明】
【技術分野】
【０００１】
本発明は、デジタルスチルカメラ等の撮像装置を収納する撮像装置用ケースに関するものである。
【背景技術】
【０００２】
従来から、デジタルスチルカメラ等の撮像装置を持ち運ぶ際や保管する際に、撮像装置を収納して外部からの衝撃や塵埃等から保護する撮像装置用ケースが用いられている。この撮像装置用ケースは、例えば、布材や革材または軟質の樹脂材等によってカメラ本体に対応する大きさに形成されている。
【０００３】
従来のこの種の撮像装置用ケースとしては、例えば、特許文献１に記載されているようなものがある。特許文献１には、小型のデジタルスチルカメラなどの撮像装置に装着して好適な撮像装置用ケースに関するものが記載されている。この特許文献１に記載された撮像装置用ケースは、「略直方体の形状をし、第１の主面に撮像レンズを有し、前記第１の主面の対面にある第２の主面に画像モニタを有し、前記第１の主面と前記第２の主面の上面に撮像操作子を有するように構成した撮像装置の撮像装置用ケースにおいて、前記撮像装置の前記上面と底面との間の寸法よりも大きい幅を有する１枚の略長方形の軟質板の長辺方向の略中央をＵの字状の曲げ部を設け、前記軟質板を曲げることにより対向して形成される前身と後身との間隙を前記撮像装置の厚さと略同じとし、前記曲げ部から２つの遊端となる前記軟質板の両短辺に到る途中まで２つの脇マチを設けることにより前記撮像装置を収納する袋を構成し、前記２つの遊端及び前記２つの脇マチにより形成される挿入口から横方向に装着した前記撮像装置を前記２つの遊端で閉止するように、一遊端に係合部材、他遊端に被係合部材を設けた」ことを特徴としている。
【０００４】
この特許文献１に記載された撮像装置用ケースには、撮像装置の撮像レンズを露呈するための開口部と、撮像装置の画像モニタを露呈するための透明シートが設けられている。これにより、使用者は、撮像装置用ケースから撮像装置を取り出さずに撮影を行うことが可能となっていた。
【特許文献１】特開２００６−６４７６２号公報
【０００５】
また、一般的な撮像装置用ケースとしては、撮像装置全体を覆い隠すものもある。このような撮像装置用ケースでは、撮像レンズや画像モニタを露呈するための開口部或いは透明シートが設けられていないため、そのケースに見合った外形寸法を有する複数の種類の撮像装置を収納できる。
【発明の開示】
【発明が解決しようとする課題】
【０００６】
しかしながら、特許文献１に記載された撮像装置用ケースにおいては、撮像装置の種類毎に撮像レンズや画像モニタの位置或いは大きさが異なるため、それぞれの撮像装置に対応した専用のケースを用意する必要があった。その結果、例えば、撮像レンズの位置が異なる撮像装置に買い換えると、それまで使用していたケースを用いることができなくなり、新しい撮像装置に対応したケースを再び用意しなければならないという問題があった。
【０００７】
また、撮像装置全体を覆い隠す撮像装置用ケースでは、撮影を行う際に撮像装置を取り出す必要があった。そのため、撮影時に撮像装置用ケースと撮像装置が別々に分かれることになり、撮像装置用ケースを紛失してしまう心配があった。また、撮影が終わる度に撮像装置用ケースを探して撮像装置を収納するという手間がかかり、使用者に煩雑な思いをさせるという問題があった。
【０００８】
本発明の目的は、上述の問題点を考慮し、複数の種類の撮像装置を収納することができ、収納した撮像装置を取り出したときに、その撮像装置と別々に分かれることがない撮像装置用ケースを提供することある。
【課題を解決するための手段】
【０００９】
本発明の撮像装置用ケースは、開閉可能な開口部を有し、内部に撮像装置が収納されるケース本体と、撮像装置に取り付けられる細帯部とその細帯部が連結されたストラップ本体を有するストラップと、ケース本体の内側に設けられたループ部材と、を備えている。そして、ループ部材にストラップの細帯部を挿通することにより細帯部とストラップ本体との連結部にループ部材を引っ掛け、ストラップを介して撮像装置にケース本体を吊り下げることを最も主要な特徴とする。
【発明の効果】
【００１０】
本発明の撮像装置用ケースによれば、ストラップを介して撮像装置にケース本体を吊り下げるようにしたため、撮像装置とケース本体が別々に分かれることがなく、ケース本体の紛失を防止することができる。
【発明を実施するための最良の形態】
【００１１】
以下、本発明の撮像装置用ケースを実施するための最良の形態について、図面を参照して説明するが、本発明は以下の形態に限定されるものではない。
【００１２】
図１は、本発明の撮像装置用ケースの第１の実施の形態を示す斜視図である。図１に示す撮像装置用ケース１は、撮像装置の一具体例を示すデジタルスチルカメラ１００を収納するケース本体２と、デジタルスチルカメラ１００に取り付けられるストラップ３とを備えている。まず、ケース本体２に収納されるデジタルスチルカメラ１００について説明する。
【００１３】
デジタルスチルカメラ１００は、横長とされた偏平の筐体からなるカメラ本体１０２と、画像を表示する液晶ディスプレイ等からなる表示パネル１０３と、撮像レンズ１０４（図９を参照）を有するレンズ装置と、撮像レンズ１０４を開閉するレンズカバー１０５（図９を参照）等から構成されている。
【００１４】
カメラ本体１０２の上面部には、電源をオン・オフさせる電源ボタン１０７、撮影した画像を表示パネル１０３に再生させる再生ボタン１０８、撮影の開始や停止を実行する撮影ボタン１０９、画像を連続的に拡大（テレ）又は縮小（ワイド）させるズームボタン１１０等が設けられている。また、カメラ本体１０２の背面部には、表示パネル１０３が設けられている。この表示パネル１０３は、タッチパネル付きの表示部であり、カメラ本体１０２の背面部全体を占有するような大きさに設定されている。そして、カメラ本体１０２の一側面部には、ストラップ３が取り付けられるストラップ用取付環１１２が設けられている。
【００１５】
カメラ本体１０２の正面部には、レンズ装置の撮像レンズ１０４と、フラッシュ装置の発光部１１５が露出されている（図８を参照）。レンズカバー１０５は、図示しない複数の脚片に抜け止め部を設けることによってカメラ本体１０２からの脱落が防止されている。このレンズカバー１０５は、図示しないガイド部材によりガイドされて上下方向への移動可能とされている。レンズカバー１０５が上端部にあるとき（図５を参照）には、レンズカバー１０５によって撮像レンズ１０４が完全に覆われた状態となる。一方、レンズカバー１０５が下端部にあるとき（図８を参照）には、撮像レンズ１０４が露出された状態になると共に、自動的に電源スイッチがオンされて撮影が可能となる。
【００１６】
次に、図１を参照して、撮像装置用ケース１のストラップ３について説明する。ストラップ３は、デジタルスチルカメラ１００のストラップ用取付環１１２に取り付けられる細帯部６と、この細帯部６が連結されるストラップ本体７から構成されている。細帯部６は、所定の強度を有する細い紐部材からなり、環状に形成されている。ストラップ本体７は、適当な幅を有する帯状部材からなり、細帯部６よりも大きい環状に形成されている。このストラップ本体７は、柔軟性を有する素材、例えば、皮や合成皮革、合成樹脂等によって形成されている。
【００１７】
次に、図２〜図４を参照して、撮像装置用ケース１のケース本体２について説明する。図２はケース本体２を閉じた状態の斜視図、図３はケース本体２を開いた状態の斜視図、図４はケース本体２に設けるループ部材を説明する説明図である。
【００１８】
図２及び図３に示すように、ケース本体２は、折り曲げ部１３を介して連続されると共に互いに対向される第１のケース部材１１及び第２のケース部材１２と、第１のケース部材１１と第２のケース部材１２間に形成される開口部２ａを開閉するスライドファスナー１４等を備えている。
【００１９】
第１及び第２のケース部材１１，１２と折り曲げ部１３は、柔軟性を有する素材、例えば、皮や合成皮革、合成樹脂等によって形成されている。本実施の形態では、第１及び第２のケース部材１１，１２と折り曲げ部１３の素材を、ストラップ３のストラップ本体７の素材と同一にしている。これにより、撮像装置用ケース１全体としての統一感を演出することができる。
【００２０】
第１のケース部材１１は、略長方形の平面部２１と、この平面部２１に連続するまち部２２を有している。平面部２１の一方の長辺は、折り曲げ部１３を介して第２のケース部材１２に連続されており、残りの３辺にまち部２２が連続されている。この平面部２１内には、平面部２１が所定の剛性を有するように図示しない補強板が設けられている。
【００２１】
第１のケース部材１１のまち部２２は、平面部２１の３辺から略垂直に延在されており、折り曲げ部１３側の端部が第２のケース部材１２の後述するまち部２６に連続している。このまち部２２の縁部には、スライドファスナー１４の一方のファスナーエレメント４１が設けられている。また、まち部２２の内面には、スライドファスナー１４を開閉するための後述するスライダ４３Ａ，４３Ｂがケース本体２に収納されたデジタルスチルカメラ１００に直接接触しないように保護シート２３が設けられている。この保護シート２３の素材としては、柔軟性を有する皮や合成皮革が好適であるが、柔軟性を有する合成樹脂を用いることもできる。
【００２２】
第２のケース部材１２は、第１のケース部材１１と略同一の形状とされており、略長方形の平面部２５と、この平面部２５に連続するまち部２６を有している。平面部２５の一方の長辺は、折り曲げ部１３を介して第１のケース部材１１の平面部２１に連続されており、残りの３辺にまち部２６が連続されている。この平面部２５内には、第１のケース部材１１の平面部２１と同様に、図示しない補強板が設けられている。
【００２３】
第２のケース部材１２のまち部２６は、平面部２５の３辺から略垂直に延在されており、折り曲げ部１３側の端部が第１のケース部材１１のまち部２２に連続している。このまち部２６の縁部には、スライドファスナー１４の他方のファスナーエレメント４２が設けられている。また、まち部２６の内面には、第１のケース部材１１と同様に、保護シート２７が設けられている。この保護シート２７と保護シート２３は、折り曲げ部１３側の端部において連続され、一体に形成されている。
【００２４】
また、第２のケース部材１２の内面には、ループ部材３１が設けられている。このループ部材３１は、図３及び図４に示すように、第２のケース部材１２の折り曲げ部１３と反対側の２つの角部のうち一方の角部に配置されている。ループ部材３１は、柔軟性を有する合成樹脂によって適当な幅を有する帯状に形成されており、所定のループ長さに設定されている。なお、ループ部材３１のループ長さについては、後で詳しく説明する。このループ部材３１には、デジタルスチルカメラ１００のストラップ用取付環１１２に取り付けられたストラップ３の細帯部６が挿通される。
【００２５】
スライドファスナー１４は、第１のケース部材１１のまち部２２に設けられるファスナーエレメント４１と、第２のケース部材１２のまち部２６に設けられるファスナーエレメント４２から構成されている。これら２つのファスナーエレメント４１，４２は、２つのスライダ４３Ａ，４３Ｂによって嵌合及び分離され、これにより、スライドファスナー１４の開閉が行われる。また、２つのファスナーエレメント４１，４２には、それぞれ連結リング４４Ａ，４４Ｂを介して引き手４５Ａ，４５Ｂが連結されている。
【００２６】
このような構成を有するケース本体２は、２つのスライダ４３Ａ，４３Ｂによってスライドファスナー１４を閉じると、図２に示すように、第１のケース部材１１と第２のケース部材１２が連結されて略直方体状となる。また、図３及び図４に示すように、２つのスライダ４３Ａ，４３Ｂによってスライドファスナー１４を開くと、第１のケース部材１１と第２のケース部材１２が離反される。これにより、第１及び第２のケース部材１１，１２間にデジタルスチルカメラ１００の出し入れが可能な開口部２ａが形成される。
【００２７】
次に、図５Ａ〜図５Ｃ及び図６Ａ，図６Ｂを参照して、撮像装置用ケース１に対するデジタルスチルカメラ１００の収納について説明する。図５Ａはデジタルスチルカメラ１００にストラップ３を取り付けた状態の説明図、図５Ｂはストラップ３のストラップ本体７をケース本体２のループ部材３１に挿通させた状態の説明図、図５Ｃはストラップ３の細帯部６をループ部材３１に挿通させた状態の説明図である。また、図６Ａはデジタルスチルカメラ１００をケース本体２の内部に挿入した状態の説明図、図６Ｂは図６Ａに示す状態からスライドファスナー１４を閉じてケース本体２にデジタルスチルカメラ１００を収納した状態の説明図である。
【００２８】
撮像装置用ケース１にデジタルスチルカメラ１００を収納するには、まず、図５Ａに示すように、ストラップ３の細帯部６をデジタルスチルカメラ１００のストラップ用取付環１１２に取り付ける。これにより、デジタルスチルカメラ１００にストラップ３が取り付けられた状態となる。
【００２９】
次に、ケース本体２のスライドファスナー１４を２つのスライダ４３Ａ，４３Ｂにより開いて、開口部２ａからループ部材３１を露出させる。続いて、デジタルスチルカメラ１００に取り付けたストラップ３をループ部材３１に挿通させる。この際、図５Ｂに示すように、ストラップ３のストラップ本体７からループ部材３１に挿通させる。そして、図５Ｃに示すように、ストラップ本体７がループ部材３１を通り抜けて細帯部６がループ部材３１に挿通した状態にする。このとき、ループ部材３１を第２のケース部材１２の内側であって、折り曲げ部１３と反対側の角部（開口側の角部）に設けたため、ストラップ３をループ部材３１に簡単に挿通させることができる。
【００３０】
次に、図６Ａに示すように、デジタルスチルカメラ１００を、開口部２ａからケース本体２の内部に挿入する。その際、ループ部材３１を第２のケース部材１２（ケース本体２）の内側に設けたため、ループ部材３１がデジタルスチルカメラ１００と一緒にケース本体２の内部に収納される。これにより、スライドファスナー１４を開閉する際に、ループ部材３１がスライドファスナー１４及び２つのスライダ４３Ａ，４３Ｂと干渉することを防止することができる。
【００３１】
更に、ループ部材３１をケース本体２の角部（折り曲げ部１３と反対側の角部）に設けたため、デジタルスチルカメラ１００のストラップ用取付環１１２の近くにループ部材３１を収納することができる。その結果、デジタルスチルカメラ１００及びループ部材３１の収納作業を極めて容易に行うことができる。
【００３２】
また、デジタルスチルカメラ１００以外の一般的なカメラにおいても、ストラップ用取付環がカメラ本体の側部に配置されている。そのため、デジタルスチルカメラ１００以外のカメラをケース本体２に収納する場合であっても、ストラップ用取付環の近くにループ部材３１を収納することができ、カメラとループ部材３１の収納作業を極めて容易に行うことができる。
【００３３】
次に、引き手４５Ａ，４５Ｂを介して２つのスライダ４３Ａ，４３Ｂをスライドさせ、図６Ｂに示すように、スライドファスナー１４を閉じる。これにより、第１及び第２のケース部材１１，１２間の開口部２ａが閉じられ、撮像装置用ケース１に対するデジタルスチルカメラ１００の収納が完了する。このとき、ストラップ３の細帯部６が、スライドファスナー１４を閉じた２つのスライダ４３Ａ，４３Ｂ間の僅かな隙間を通ってケース本体２の内部から外側へ突出される。
【００３４】
本実施の形態では、スライドファスナー１４を２つのスライダ４３Ａ，４３Ｂによって開閉する構成としたため、細帯部６がどの位置でケース本体２の外側へ突出しても、スライドファスナー１４を確実に閉じることができる。したがって、デジタルスチルカメラ１００以外のカメラをケース本体２に収納する場合であっても、そのカメラに取り付けた細帯部６が突出可能な範囲内で２つのスライダ４３Ａ，４３Ｂを突き合わせることによりスライドファスナー１４を確実に閉じることができる。
【００３５】
ケース本体２の外側に突出したストラップ３のストラップ本体７は、デジタルスチルカメラ１００を収納したケース本体２を持ち運ぶ際に、例えば、使用者の首や肩に架けられる。なお、ループ部材３１がデジタルスチルカメラ１００と一緒にケース本体２の内部に収納可能であることから、ストラップ３全体をケース本体２の内部に収納してもよい。この場合、デジタルスチルカメラ１００が収納された撮像装置用ケース１を、図２に示すようなケース本体２だけのコンパクトな形態にすることができる。その結果、例えば、衣服のポケットや所持するバック等に撮像装置用ケース１を入れて持ち運ぶ際に、その撮像装置用ケース１のために必要なスペースを小さくすることができる。
【００３６】
図７は、撮像装置用ケース１のケース本体２からデジタルスチルカメラ１００を取り出した状態を示すものである。図７に示すように、ケース本体２からデジタルスチルカメラ１００を取り出すと、ケース本体２が下方に落下するように移動する。このとき、ケース本体２のループ部材３１がストラップ３の細帯部６に接触しながら移動され、細帯部６とストラップ本体７の連結部に引っ掛かる。これにより、ケース本体２は、ストラップ３を介してデジタルスチルカメラ１００に吊り下げられた状態となる。
【００３７】
その結果、デジタルスチルカメラ１００とケース本体２が別々に分かれることがなく、ケース本体２の紛失を防止することができる。また、撮影が終了してデジタルスチルカメラ１００をケース本体２に収納する際に、ケース本体２を探す手間を省くことができ、デジタルスチルカメラ１００の収納作業を迅速に行うことができる。
【００３８】
図８Ａは、ケース本体２から取り出したデジタルスチルカメラ１００で撮影を行う状態の第１の例を示すものである。デジタルスチルカメラ１００に対するケース本体２の吊り下げ位置は、細帯部６及びループ部材３１のループ長さによって決定される（図７を参照）。本実施の形態では、細帯部６及びループ部材３１のループ長さを所定の長さに設定し、図８Ａに示すように、ケース本体２がデジタルスチルカメラ１００を把持する手(右手)の下部（手首側）に当接して押圧するように構成している。
【００３９】
デジタルスチルカメラ１００を把持する手(右手)の下部（手首側）にケース本体２が当接することにより、撮影中にケース本体２が揺れ動くことを防止することができ、デジタルスチルカメラ１００に外力が加わらないようにすることができる。その結果、使用者は、デジタルスチルカメラ１００を安定して把持することができ、ブレの無いきれいな画像を撮影することができる。
【００４０】
本実施の形態では、ケース本体２がデジタルスチルカメラ１００を把持する手(右手)の下部に当接するように細帯部６及びループ部材３１のループ長さを設定したが、本発明に係る細帯部６及びループ部材３１のループ長さの設定は、これに限定されるものではない。本発明に係る細帯部６及びループ部材３１のループ長さとしては、例えば、ケース本体２がデジタルスチルカメラ１００を把持する手の側部や手の甲など撮影の邪魔にならない部位に当接するように設定することもできる。
【００４１】
また、本実施の形態では、ループ部材３１をケース本体２の内側の角部に設け、ケース本体２に収納したデジタルスチルカメラ１００のストラップ用取付環１１２の近くにループ部材３１を収納するようにした。そのため、細帯部６及びループ部材３１のループ長さをある程度自由に設定することができ、両者のループ長さをケース本体２がデジタルスチルカメラ１００を把持する手(右手)に当接して押圧するような長さに確実に設定することができる。
【００４２】
図８Ｂは、ケース本体２から取り出したデジタルスチルカメラ１００によって撮影を行う状態の第１の例を示すものである。上述したように、ケース本体２からデジタルスチルカメラ１００を取り出すと、ケース本体２がストラップ３を介してデジタルスチルカメラ１００に吊り下げられる（図７を参照）。そのため、図８Ｂに示すように、デジタルスチルカメラ１００を簡単にケース本体２に載せることができ、ケース本体２をデジタルスチルカメラ１００のグリップ部の一部として用いることができる。これにより、デジタルスチルカメラを安定して把持することができ、デジタルスチルカメラ１００を把持する手に揺れが生じることを抑制することができる。
【００４３】
また、デジタルスチルカメラ１００の背面部に設けられた表示パネル１０３は、その背面部の略全体を占有するような大きさに設定されているため、カメラ本体１０２を安定して把持しようとすると、把持した手によって表示パネル１０３の一部が隠れてしまう。このデジタルスチルカメラ１００のような撮像装置を使用する場合には、図８Ｂに示すように、ケース本体２を撮像装置のグリップ部の一部として用いることにより、表示パネルの一部を隠さないようにしながら撮像装置を安定して把持することができる。
【００４４】
本実施の形態では、第２のケース部材１２の内面において、折り曲げ部１３と反対側の２つの角部のうち一方の角部にループ部材３１を設ける構成としたが、本発明に係るループ部材３１としては、他方の角部に設けてもよい。この場合には、他方の角部にストラップ用取付環１１２が位置するような向きでデジタルスチルカメラ１００をケース本体２の内部に収納する。
【００４５】
また、本実施の形態では、ループ部材３１を第２のケース部材１２の内面に設ける構成としたが、第１のケース部材１１の内面に設ける構成とすることもできる。その場合、第１のケース部材１１の折り曲げ部１３と反対側の２つの角部の何れかにループ部材３１を設ける。これにより、ループ部材３１は、挿入したデジタルスチルカメラ１００のストラップ用取付環１１２の近くに収納される。その結果、細帯部６及びループ部材３１のループ長さを、ケース本体２がデジタルスチルカメラ１００を把持する手(右手)に当接して押圧するような長さに簡単かつ確実に設定することができる。
【００４６】
また、本実施の形態では、柔軟性を有する構成樹脂によってループ部材３１を形成したが、皮や合成皮革等の柔軟性を有する素材を適用することもできる。また、本発明に係るループ部材としては、ゴム等の伸縮可能な弾性材によって形成することもできる。この場合、ループ部材のループ長さを、伸びていない通常の状態でストラップ本体７が通り抜けられないような長さに設定する。これにより、ケース本体２からデジタルスチルカメラ１００を取り出すと、ストラップ本体７の細帯部６との連結部に伸びていない状態のループ部材を確実に引っ掛けることができる。
【００４７】
また、本実施の形態では、第１のケース部材１１と第２のケース部材１２を折り曲げ部１３を介して連続させてケース本体２を構成としたが、本発明に係るケース本体としては、これに限定されるものではない。本発明に係るケース本体としては、折り曲げ部１３を削除し、第１のケース部材１１と第２のケース部材１２をスライドファスナー１４によって接続する構成とすることもできる。この場合、第１及び第２のケース部材１１，１２は、各まち部がそれぞれ平面部２１，２５の４辺に連続するように構成する。
【００４８】
次に、図９を参照して、本発明の撮像装置用ケースの第２の実施の形態について説明する。図９は、本発明の撮像装置用ケースの第１の実施の形態を示す斜視図である。この撮像装置用ケース５１は、第１の実施の形態を示す撮像装置用ケース１と同様の構成を有しており、異なるところは、ループ部材５２，５３，５４のみである。そのため、ここでは、ループ部材５２，５３，５４について説明し、撮像装置用ケース１と共通する部分には同一符号を付して重複した説明を省略する。
【００４９】
図９に示すように、撮像装置用ケース５１は、ケース本体２とストラップ３を有している。ケース本体２の第２のケース部材１２の内面には、第１のループ部材５２と、第２のループ部材５３と、第３のループ部材５４が設けられている。３つのループ部材５２，５３，５４は、第２のケース部材１２の折り曲げ部１３と反対側の２つの角部のうち一方の角部に配置されている。これら３つのループ部材５２，５３，５４は、柔軟性を有する合成樹脂によって適当な幅を有する帯状に形成されている。
【００５０】
３つのループ部材５２，５３，５４は、それぞれのループ長さが互いに異なるように設定されている。第１のループ部材５２のループ長さＬ１は、第２及び第３のループ部材５３，５４のループ長さＬ２，Ｌ３よりも短く設定されている。また、第２のループ部材５３のループ長さＬ２は、第３のループ部材５４のループ長さＬ３よりも短く設定されている（Ｌ１＜Ｌ２＜Ｌ３）。
【００５１】
上述したような構成を有する撮像装置用ケース５１に、デジタルスチルカメラ１００を収納する場合、ループ長さの異なる３つのループ部材５２，５３，５４のうち何れかを選択してストラップ３の細帯部６を挿通させる。これにより、ケース本体２からデジタルスチルカメラ１００を取り出したときのデジタルスチルカメラ１００に対するケース本体２の吊り下げ位置を変化させることができる。その結果、使用者は、自分の手の大きさに応じた位置にケース本体２を吊り下げることができ、デジタルスチルカメラ１００を把持する手(右手)にケース本体２を確実に当接させることができる。
【００５２】
また、ストラップ３の細帯部６を挿通させないループ部材（図９に示す第２及び第３のループ部材５３，５４）には、スタイラスペン１２１やフック部材の一具体例を示すカラビナ１２２等を取り付けることができる。ループ部材にスタイラスペン１２１を取り付けることにより、そのスタイラスペン１２１を常にデジタルスチルカメラ１００と一緒に保管することができ、表示パネル１０３対する入力操作を迅速に行うことができる。また、ループ部材にカラビナ１２２を取り付けることにより、デジタルスチルカメラ１００を収納した撮像装置用ケース５１を衣服やカバンに吊るして持ち運ぶことができ、携帯性を高めることができる。
【００５３】
本実施の形態では、３つのループ部材５２，５３，５４を設ける構成としたが、本発明の撮像装置用ケースとしては、ループ部材を２つ設ける構成としてもよく、また４つ以上設ける構成としてもよい。また、本発明の撮像装置用ケースとしては、第１の実施の形態で説明したように、ループ部材を１つ設ける構成とすることもできる。
【００５４】
以上説明したように、本発明の撮像装置用ケースによれば、ストラップを介して撮像装置にケース本体を吊り下げる構成としたため、撮像装置とケース本体が別々に分かれることがなく、ケース本体の紛失を防止することができる。また、撮影が終了して撮像装置をケース本体に収納する際に、ケース本体を探す手間を省くことができ、撮像装置の収納作業を迅速に行うことができる。
【００５５】
また、細帯部及びループ部材のループ長さを所定の長さに設定し、撮像装置を把持する手にケース本体を当接させるようにしたため、撮影中にケース本体２が揺れ動くことを防止することができ、把持した撮像装置に外力が加わらないようにすることができる。その結果、使用者は、撮像装置を安定して把持することができ、ブレの無いきれいな画像を撮影することができる。
【００５６】
また、ストラップの細帯部を挿通させるループ部材を、ケース本体の内側に設ける構成としたため、ループ部材を撮像装置と一緒にケース本体の内部に収納することができる。これにより、スライドファスナーを開閉する際に、ループ部材がスライドファスナー及び２つのスライダと干渉することを防止することができる。
【００５７】
更に、ループ部材をケース本体の開口側の角部に配置したため、ストラップを簡単に挿通させることができる。しかも、ケース本体に収納した撮像装置のストラップ用取付環の近くにループ部材が収納されるため、細帯部及びループ部材のループ長さをある程度自由に設定することができる。これにより、細帯部及びループ部材のループ長さを、ケース本体が撮像装置を把持する手に当接するような長さに確実に設定することができる。
【００５８】
また、スライドファスナーを２つのスライダによって開閉する構成としたため、ストラップの細帯部がどの位置でケース本体の外側へ突出しても、スライドファスナーを確実に閉じることができる。
【００５９】
また、ケース本体に第１のループ部材と第２のループ部材を設け、第１のループ部材と第２のループ部材を互いに異なるループ長さに設定した。そのため、ストラップの細帯部を挿通させるループ部材を、第１及び第２のループ部材から選択することで撮像装置に対するケース本体の吊り下げ位置を変化させることができる。その結果、使用者は、自分の手の大きさに応じた位置にケース本体を吊り下げることができ、撮像装置を把持する手にケース本体を確実に当接させることができる。
【００６０】
本発明は、前述しかつ図面に示した実施の形態に限定されるものではなく、その要旨を逸脱しない範囲内で種々の変形実施が可能である。例えば、前記実施の形態においては、撮像装置としてデジタルスチルカメラを収納するケースを適用した例について説明したが、その他のスチルカメラやビデオカメラ等の撮像装置を収納するケースにも適用できるものである。
【図面の簡単な説明】
【００６１】
【図１】本発明の撮像装置用ケースの第１の実施の形態を示す斜視図である。
【図２】本発明の撮像装置用ケースの第１の実施の形態に係るケース本体を示すものであり、開口部を閉じた状態の斜視図である。
【図３】本発明の撮像装置用ケースの第１の実施の形態に係るケース本体を示すものであり、開口部を開いた状態の斜視図である。
【図４】本発明の撮像装置用ケースの第１の実施の形態に係るループ部材の位置を説明する説明図である。
【図５】本発明の撮像装置用ケースの第１の実施の形態に対する撮像装置の収納を説明するものであり、図５Ａは撮像装置にストラップを取り付けた状態の説明図、図５Ｂはストラップのストラップ本体をケース本体のループ部材に挿通させた状態の説明図、図５Ｃはストラップの細帯部６ループ部材３１に挿通させた状態の説明図である。
【図６】本発明の撮像装置用ケースの第１の実施の形態に対する撮像装置の収納を説明するものであり、図６Ａは撮像装置をケース本体の内部に挿入した状態の説明図、図６Ｂは図６Ａに示す状態からスライドファスナーを閉じて撮像装置を収納した状態の説明図である。
【図７】本発明の撮像装置用ケースの第１の実施の形態に係るケース本体から撮像装置を取り出した状態の説明図である。
【図８】本発明の撮像装置用ケースの第１の実施の形態に係るケース本体から取り出した撮像装置によって撮影を行う状態を説明するものであり、図８Ａはケース本体が撮像装置を把持する手に当接した状態の説明図、図８Ｂはケース本体を撮像装置のグリップの一部として用いた状態の説明図である。
【図９】本発明の撮像装置用ケースの第２の実施の形態を示す斜視図である。
【符号の説明】
【００６２】
１，５１…撮像装置用ケース、  ２…ケース本体、  ３…ストラップ、  ６…細帯部、  ７…ストラップ本体、  １１…第１のケース部材、  １２…第２のケース部材、  １３…折り曲げ部、  １４…スライドファスナー、  ２１，２５…平面部、  ２２，２６…まち部、  ２３，２７…保護シート、  ３１…ループ部材、  ４１，４２…ファスナーエレメント、  ４３Ａ，４３Ｂ…スライダ、  ４４Ａ，４４Ｂ…連結リング、  ４５Ａ，４５Ｂ…引き手、  ５２…第１のループ部材、  ５３…第２のループ部材、  ５４…第３のループ部材、  １００…デジタルスチルカメラ（撮像装置）、  １０３…表示パネル、  １１２…ストラップ用取付環
【図１】
2009045160.tif 000003
【図２】
2009045160.tif 000004
【図３】
2009045160.tif 000005
【図４】
2009045160.tif 000006
【図５】
2009045160.tif 000007
【図６】
2009045160.tif 000008
【図７】
2009045160.tif 000009
【図８】
2009045160.tif 000010
【図９】
2009045160.tif 000011